【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
該遊技機で発生した所定事象を検出する所定事象検出手段と、
第１所定事象の発生を検出したことに応じて、前記第１所定事象が発生したことを示す第１発生情報を表示させ、第２所定事象の発生を検出したことに応じて、前記第２所定事象が発生したことを示す第２発生情報を表示させる所定事象表示制御手段と、
可動手段と、
前記可動手段の動作を制御する可動手段制御手段と、
遊技者の操作を受け付ける受付手段と、
前記受付手段の受付に応じて特定制御を行う特定制御実行手段と、
遊技者の操作を受け付け可能である旨を報知する受付報知手段と、
を備え、
前記可動手段制御手段は、前記可動手段の確認動作を制御する確認動作制御手段を含み、
前記確認動作制御手段が前記可動手段の確認動作を制御する期間である確認動作実行期間中に、遊技者の操作を受け付け可能であるものの、遊技者の操作を受け付け可能である旨の報知を行わず、
前記第１発生情報を、前記第２発生情報より認識し易い態様で表示し、
前記第１所定事象は、前記第２所定事象よりも重要度の高い事象である
ことを特徴とする遊技機。
【請求項２】
遊技が可能な遊技機であって、
該遊技機で発生した所定事象を検出する所定事象検出手段と、
第１所定事象の発生を検出したことに応じて、前記第１所定事象が発生したことを示す第１発生情報を表示させ、第２所定事象の発生を検出したことに応じて、前記第２所定事象が発生したことを示す第２発生情報を表示させる所定事象表示制御手段と、
可動手段と、
前記可動手段の動作を制御する可動手段制御手段と、
遊技者の操作を受け付ける受付手段と、
前記受付手段の受付に応じて特定制御を行う特定制御実行手段と、
遊技者の操作を受け付け可能である旨を報知する受付報知手段と、
を備え、
前記可動手段制御手段は、前記可動手段の確認動作を制御する確認動作制御手段を含み、
前記確認動作制御手段が前記可動手段の確認動作を制御する期間である確認動作実行期間中に、遊技者の操作を受け付け可能であるものの、遊技者の操作を受け付け可能である旨の報知を行わず、
前記第１発生情報を、前記第２発生情報より大きく表示し、
前記第１所定事象は、前記第２所定事象よりも重要度の高い事象である
ことを特徴とする遊技機。
【請求項３】
遊技が可能な遊技機であって、
該遊技機で発生した所定事象を検出する所定事象検出手段と、
前記所定事象の発生を検出したことに応じて、発生し得る所定事象に対応した表示領域が設けられた発生報知表示を行う所定事象表示制御手段と、
可動手段と、
前記可動手段の動作を制御する可動手段制御手段と、
遊技者の操作を受け付ける受付手段と、
前記受付手段の受付に応じて特定制御を行う特定制御実行手段と、
遊技者の操作を受け付け可能である旨を報知する受付報知手段と、
を備え、
前記可動手段制御手段は、前記可動手段の確認動作を制御する確認動作制御手段を含み、
前記確認動作制御手段が前記可動手段の確認動作を制御する期間である確認動作実行期間中に、遊技者の操作を受け付け可能であるものの、遊技者の操作を受け付け可能である旨の報知を行わず、
前記発生報知表示には、第１所定事象が発生したことを示す第１発生情報を表示する第１表示領域と、第２所定事象が発生したことを示す第２発生情報を表示する第２表示領域と、を含み、
前記第１表示領域は、前記第２表示領域より大きく、
前記第１所定事象は、前記第２所定事象よりも重要度の高い事象である
ことを特徴とする遊技機。
【手続補正２】
【補正対象書類名】明細書
【補正対象項目名】０００７
【補正方法】変更
【補正の内容】
【０００７】
（１）  遊技が可能な遊技機（スロットマシン１、パチンコ）であって、
該遊技機で発生した所定事象（ドア開放エラー状態、エラー状態（オーバーフロータンク溢れエラー、ホッパーエンプティエラー、払出メダル詰まりエラー、投入信号異常エラー、ール回転異常エラー、不正入賞エラー、ＲＡＭ内容エラー）を検出する所定事象検出手段（メイン制御部４１、サブ制御部９１）と、
第１所定事象の発生を検出したことに応じて、前記第１所定事象が発生したことを示す第１発生情報（エラー画面）を表示させ、第２所定事象の発生を検出したことに応じて、前記第２所定事象が発生したことを示す第２発生情報を表示させる所定事象表示制御手段（サブ制御部９１）と、
可動手段（可動手段９０１〜９０３）と、
前記可動手段の動作を制御する可動手段制御手段（サブ制御部９１）と、
遊技者の操作を受け付ける受付手段（遊技者側設定スイッチ７０）と、
前記受付手段の受付に応じて特定制御を行う特定制御実行手段（サブ制御部９１）と、  遊技者の操作を受け付け可能である旨を報知する受付報知手段（遊技者側設定スイッチ７０のＬＥＤ）と、
を備え、
前記可動手段制御手段は、前記可動手段の確認動作を制御する確認動作制御手段を含み、
前記確認動作制御手段が前記可動手段の確認動作を制御する期間である確認動作実行期間中に、遊技者の操作を受け付け可能であるものの、遊技者の操作を受け付け可能である旨の報知を行わず、
前記第１発生情報を、前記第２発生情報より認識し易い態様で表示し、
前記第１所定事象は、前記第２所定事象よりも重要度の高い事象である
ことを特徴とする遊技機。
【手続補正３】
【補正対象書類名】明細書
【補正対象項目名】０００９
【補正方法】変更
【補正の内容】
【０００９】
（２）  遊技が可能な遊技機（スロットマシン１、パチンコ）であって、
該遊技機で発生した所定事象（エラー状態）を検出する所定事象検出手段（メイン制御部４１、サブ制御部９１）と、
第１所定事象の発生を検出したことに応じて、前記第１所定事象が発生したことを示す第１発生情報（エラー画面）を表示させ、第２所定事象の発生を検出したことに応じて、前記第２所定事象が発生したことを示す第２発生情報を表示させる所定事象表示制御手段（サブ制御部９１）と、
可動手段（可動手段９０１〜９０３）と、
前記可動手段の動作を制御する可動手段制御手段（サブ制御部９１）と、
遊技者の操作を受け付ける受付手段（遊技者側設定スイッチ７０）と、
前記受付手段の受付に応じて特定制御を行う特定制御実行手段（サブ制御部９１）と、
遊技者の操作を受け付け可能である旨を報知する受付報知手段（遊技者側設定スイッチ７０のＬＥＤ）と、
を備え、
前記可動手段制御手段は、前記可動手段の確認動作を制御する確認動作制御手段を含み、
前記確認動作制御手段が前記可動手段の確認動作を制御する期間である確認動作実行期間中に、遊技者の操作を受け付け可能であるものの、遊技者の操作を受け付け可能である旨の報知を行わず、
前記第１発生情報を、前記第２発生情報より大きく表示し、
前記第１所定事象は、前記第２所定事象よりも重要度の高い事象である
ことを特徴とする遊技機。
【手続補正４】
【補正対象書類名】明細書
【補正対象項目名】００１１
【補正方法】変更
【補正の内容】
【００１１】
（３）  遊技が可能な遊技機（スロットマシン１、パチンコ）であって、
該遊技機で発生した所定事象（エラー状態）を検出する所定事象検出手段（メイン制御部４１、サブ制御部９１）と、
前記所定事象の発生を検出したことに応じて、発生し得る所定事象に対応した表示領域が設けられた発生報知表示（エラー画面）を行う所定事象表示制御手段（サブ制御部９１）と、
可動手段（可動手段９０１〜９０３）と、
前記可動手段の動作を制御する可動手段制御手段（サブ制御部９１）と、
遊技者の操作を受け付ける受付手段（遊技者側設定スイッチ７０）と、
前記受付手段の受付に応じて特定制御を行う特定制御実行手段（サブ制御部９１）と、  遊技者の操作を受け付け可能である旨を報知する受付報知手段（遊技者側設定スイッチ７０のＬＥＤ）と、
を備え、
前記可動手段制御手段は、前記可動手段の確認動作を制御する確認動作制御手段を含み、
前記確認動作制御手段が前記可動手段の確認動作を制御する期間である確認動作実行期間中に、遊技者の操作を受け付け可能であるものの、遊技者の操作を受け付け可能である旨の報知を行わず、
前記発生報知表示には、第１所定事象が発生したことを示す第１発生情報を表示する第１表示領域と、第２所定事象が発生したことを示す第２発生情報を表示する第２表示領域と、を含み、
前記第１表示領域は、前記第２表示領域より大きく、
前記第１所定事象は、前記第２所定事象よりも重要度の高い事象である
ことを特徴とする遊技機。
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】０２１１
【補正方法】変更
【補正の内容】
【０２１１】
一方、Ｓａ１５ａの判定において設定キースイッチがオフと判定した場合（Ｓａ１５ａでＮ）、またはＳａ１５ｃの判定においてＲＡＭ異常フラグがセットされていないと判定した場合（Ｓａ１５ｃでＮ）には、Ｓａ１１の判定、Ｓａ１３の判定、ＲＡＭ異常フラグがセットされているか否かにもとづきＲＡＭ４１ｃの記憶内容が破壊されていたか否か、すなわちＲＡＭ４１ｃの記憶内容が正常か否かを判定する（Ｓａ１６）。ＲＡＭ４１ｃの記憶内容が破壊されていない場合（Ｓａ１６でＮ）には、電断復帰コマンド（電断復帰コマンド１〜４）をサブ制御部９１に送信するとともに（Ｓａ１７）、ホットスタートコマンドをサブ制御部９１に送信する（Ｓａ１８）。なお、ＲＡＭ４１ｃの記憶内容が破壊されていない場合とは、Ｓａ１１でＹ、かつＳａ１３でＲＡＭ破壊診断用固定データが正しいと判定され、かつＲＡＭ異常フラグがセットされていない場合である。
【手続補正８】
【補正対象書類名】明細書
【補正対象項目名】０３１０
【補正方法】変更
【補正の内容】
【０３１０】
メイン制御部４１は、店側設定スイッチ８０のチャンネルが切り替えられていないと判定したときには（Ｓ１３０でＮ）、全てのストップスイッチが同時に長押しされたか否かを判定する（Ｓ１３４）。メイン制御部４１は、全てのストップスイッチが同時に長押しされなかったと判定したときには（Ｓ１３４でＮ）、店側演出設定処理を終了する。
【手続補正９】
【補正対象書類名】明細書
【補正対象項目名】０３１１
【補正方法】変更
【補正の内容】
【０３１１】
一方、メイン制御部４１は、全てのストップスイッチが同時に長押しされたと判定したときには（Ｓ１３４でＹ）、ドア開放検出スイッチ２５がＯＮ状態であるか否かを判定する（Ｓ１３５）。メイン制御部４１は、ドア開放検出スイッチ２５がＯＮ状態である、つまり前面扉１ｂが閉鎖していると判定したときには（Ｓ１３５でＹ）、店側演出設定処理
を終了する。
【手続補正１０】
【補正対象書類名】明細書
【補正対象項目名】０３１２
【補正方法】変更
【補正の内容】
【０３１２】
一方、メイン制御部４１は、ドア開放検出スイッチ２５がＯＦＦ状態である、つまり前面扉１ｂが開放していると判定したときには（Ｓ１３５でＮ）、Ｓ１３６に進む。この後、サブ制御部９１に対してモード選択状態に移行することを特定可能なモード選択開始コマンドを送信する（Ｓ１３７）。
【手続補正１１】
【補正対象書類名】明細書
【補正対象項目名】０３１３
【補正方法】変更
【補正の内容】
【０３１３】
モード選択状態において、メイン制御部４１は、店員によって通常モードまたは節電モードが選択されたか否かを判定する（Ｓ１３８）。メイン制御部４１は、所定期間内にいずれかのモードが選択されたと判定したときには（Ｓ１３８でＹ）、選択されたモードを設定する（Ｓ１３９）。その後、メイン制御部４１は、サブ制御部９１に対して選択されたモードを特定可能なモード特定コマンドを送信する（Ｓ１４０）。これにより、サブ制御部９１は、選択されたモードに応じて各種の演出手段を制御する。たとえば、節電モードに設定されたときには、通常モード時に比べて、演出に用いるＬＥＤの数を減らしたり、ＬＥＤの光量を下げたりといった制御を行う。
【手続補正１２】
【補正対象書類名】明細書
【補正対象項目名】０３１４
【補正方法】変更
【補正の内容】
【０３１４】
一方、メイン制御部４１は、所定期間内にいずれのモードも選択されなかったと判定したとき（Ｓ１３８でＮ）、またはモード特定コマンドを送信した後には、終了操作されたか否かを判定する(Ｓ１４１）。この終了操作は、スタートスイッチ７を長押しすることによって行われる。メイン制御部４１は、所定期間内に終了操作されなかったと判定したときには（Ｓ１４１でＮ）、Ｓ１３８の処理に戻る。
【手続補正１３】
【補正対象書類名】明細書
【補正対象項目名】０３１５
【補正方法】変更
【補正の内容】
【０３１５】
一方、メイン制御部４１は、所定期間内にスタートスイッチ７が長押しされたと判定したときには（Ｓ１４１でＹ）、サブ制御部９１に対してモード選択状態を終了することを特定可能なモード選択終了コマンドを送信し（Ｓ１４２）、店側演出設定処理を終了する。
【手続補正１４】
【補正対象書類名】明細書
【補正対象項目名】０３７２
【補正方法】変更
【補正の内容】
【０３７２】
一方、サブ制御部９１は、すでに最大の音量に変更済みであると判定したときには（Ｓ１７２でＹ）、店側設定スイッチ８０のチャンネル設定に基づく基準設定と現在選択されている最大の音量設定とに応じた音量の確認音、つまり店側設定スイッチ８０のチャンネル設定に対応した最大音量の確認音をスピーカ５３、５４から出力し（Ｓ１７３）、Ｓ１７９の処理に移行する。
【手続補正１５】
【補正対象書類名】明細書
【補正対象項目名】０３７３
【補正方法】変更
【補正の内容】
【０３７３】
サブ制御部９１は、Ｓ１７１の処理において、最大の音量へ変更操作されていないと判定したときには（Ｓ１７１でＮ）、遊技者が第２音量段階で変更可能な最小の音量へ変更操作したか否かを判定する（Ｓ１７４）。サブ制御部９１は、最小の音量へ変更操作されたと判定したときには（Ｓ１７４でＹ）、すでに最小の音量に変更済みであるか否かを判定する（Ｓ１７５）。